【事件の表示】
　平成１０年特許願第２８８１５３号「走査結像レンズおよび光走査装置」拒絶査定不服審判事件〔平成１２年　４月２８日出願公開、特開２０００−１２１９７６〕について、次のとおり審決する。
【結　論】
　本件審判の請求は、成り立たない。
【理　由】
１　手続の経緯
　本願は、平成１０年１０月９日の出願であって、平成２１年５月２５日付けで手続補正がなされ、同年６月１１日付けで拒絶査定がなされ、これに対し、同年９月１６日に拒絶査定不服審判が請求されたものである。　
　
２　本願発明
　本願の請求項に係る発明は、平成２１年５月２５日付けの手続補正によって補正された明細書及び図面の記載からみて、特許請求の範囲の請求項１ないし６に記載された事項によって特定されるものと認められるところ、請求項１に係る発明（以下「本願発明」という。）は、次のとおりのものである。
　
「　主走査対応方向に長くなるように結像された線像の近傍に偏向反射面を持つ光偏向器により等角速度的に偏向された光束を、被走査面上に光スポットとして集光させ、被走査面の等速的な光走査を行うための結像光学系であって、
　主走査対応方向に関してｆθ機能を持つと共に、副走査対応方向に関して線像の結像位置と被走査面とを幾何光学的な共役関係とする機能を持ち、上記偏向の起点から被走査面側へ向かって順次、第１〜第５群を配してなり、
　第１群は、正の屈折力を持つ球面単レンズ、
　第２群は、シリンダ面を有し、副走査対応方向により強い負の屈折力を持つアナモフィックなレンズ、
　第３群は、上記偏向の起点側に凹面を向けた球面単レンズの正のメニスカスレンズ、
　第４群は、副走査対応方向により強い正の屈折力のト−リック面を有するアナモフィックなレンズ、
　第５群は、副走査対応方向にのみ正のパワ−を有するシリンダレンズであることを特徴とする５群５枚構成であり、
　第２群と第４群のアッべ数をνｄ２，νｄ４、上記偏向の起点から第１群の入射側レンズ面までの光軸上の距離をＤ０、第１群の肉厚および屈折率をＤ１およびＮ１、第１群と第２群との空気間隔をＤ２、第１群の焦点距離をｆ１、第２群の偏向器側の曲率半径をＲ３、第４群の被走査面側の主走査方向の曲率半径をＲ８Ｘ、上記偏向の起点から第４群の像側面までの距離をＤＡ１、第５群の副走査対応方向における焦点距離をｆｓ５、第５群と被走査面の光軸上の距離をＤｂｆとするとき、これらが条件　
　（１）　　１．０＜νｄ４／νｄ２　　
　（２）　−１．５＜Ｒ３／｛Ｄ０・ｆ１／（ｆ１−Ｄ０）＋Ｄ１／Ｎ１＋Ｄ２｝＜−０．９　
　（３）　−１．３＜Ｒ８Ｘ／ＤＡ１＜−０．９　　
　（４）　　１．０＜ｆｓ５／Ｄｂｆ＜３．０　
を満足することを特徴とする走査結像レンズ。」
　
３　刊行物の記載事項
　原査定の拒絶の理由に引用され、本願出願前に頒布された刊行物である特開平６−１３０２９２号公報（以下「引用例」という。）には、図とともに次の事項が記載されている（下線は審決で付した。）。
　
（１）「【請求項１】偏向反射面により等角速度的に偏向され、主走査対応方向に関しては平行光束で副走査対応方向に関しては偏向起点を起点とする発散光束である偏向光束を被走査面上に集光するためのレンズであって、
副走査対応方向に関して偏向起点と被走査面位置とを幾何光学的な共役関係とする機能を持つとともに、主走査対応方向に関してはｆθ機能を持ち、偏向反射面側から被走査面側へ向かって第１〜第５群を順次配してなり、第１群は、正の屈折力を持つ球面レンズ、第２群は、主走査対応方向に負の屈折力を持つレンズ、第３群は、正の屈折力を持ち、偏光反射面側に凹面を向けたメニスカス球面レンズ、第４群は、トーリック面を有するアナモフィックレンズ、第５群は、副走査対応方向にのみ正の屈折力を有するシリンダーレンズである５群５枚構成であり、第５群の副走査対応方向における焦点距離：ｆ
ｓ５
、第５群の被走査面側レンズ面と被走査面との光軸上の距離：Ｄ
ｂｆ
が、条件
（Ｉ）　　　　
１＜ｆ
ｓ５
／Ｄ
ｂｆ
＜３
を満足する
アナモフィックなｆθレンズ
【請求項２】請求項１記載のアナモフィックなｆθレンズにおいて、
第２群が、凹の球面を偏向反射面側に有し、副走査対応方向にのみパワーを持つ凹のシリンダー面を被走査面側に持つレンズ
・・・
【請求項４】請求項１または２記載のアナモフィックなｆθレンズにおいて、
第４群が、平面を偏向反射面側に持ち、副走査対応方向の曲率が主走査対応方向の曲率より強い凸のトーリック面を被走査面側に持つレンズ
・・・
【請求項６】
実質的な平行光束を放射する光源装置と、この光源装置からの光束を副走査対応方向に収束させて主走査対応方向に長い線像に結像させる線像結像光学系と、上記線像の近傍に偏光反射面を有し、反射光束を等角速度的に偏向させる光偏向器と、上記光偏向器による偏向光束を被走査面上に光スポットとして集光させる結像光学系とを有し、上記光スポットにより被走査面を等速的に光走査する装置
上記結像光学系が
アナモフィックなｆθレンズ
　
（２）「【００１８】
【実施例】以下、具体的な実施例を説明する。図１の図の面は、回転多面鏡３により理想的に偏向された偏向光束の主光線が描く面に合致しており、この面を「偏向面」と呼ぶ。ｆθレンズの光軸を含み、上記偏向面に直交する面を「偏向直交面」と称する。図１において、記号：
Ｒｘ
ｉ
（ｉ＝１〜１０）は、偏向反射面４の側から数えて第ｉ番目のレンズ面の偏向面内の曲率半径
Ｒｙ
ｉ
（ｉ＝１〜１０）は、上記第ｉ番目のレンズ面の偏向直交面内における曲率半径
Ｄ
０
は、光スポットの像高０における偏向反射面４から第１群５の偏向反射面側レンズ面に到る光軸上の距離、Ｄ
１
〜Ｄ
９
は、偏向反射面４の側から数えて第ｉ番目と第ｉ＋１番目のレンズ面の光軸上面間隔、Ｄ
１０
は第５群９の被走査面１０側のレンズ面と被走査面１０との間の光軸上の距離
Ｎ
ｊ
（ｊ＝１〜５）
偏向反射面４の側から数えて第ｊ番目のレンズの波長：７８０ｎｍの光に対する屈折率
ｆｍ，ｆｓは
ｆθレンズ全系の主走査対応方向および副走査対応方向における合成焦点距離
２θは偏向角
【００１９】全ての実施例は図１の如き光学配置で設計されている。回転多面鏡４の偏向反射面数は６で、内接円半径は４５ｍｍ、光源装置１側から偏向反射面４へ入射する光束の方向とｆθレンズ光軸との成す角：αは６０度である。
【００２０】実施例１
ｆｍ＝１００，ｆｓ＝−９．２２３，２θ＝５３．０度
ｉ　　Ｒｘ
ｉ
　　　　　　Ｒｙ
ｉ
　　　　　　Ｄ
ｉ
　　ｊ　　　　Ｎ
ｊ
０　　　　　　　　　　　　　　　　　１４．２７８
１　　２４６．１７　　２４６．１７　　３．０３４　１　１．５１１１８２　−３０２．５２１−３０２．５２１　３．６８９
３　−２６．８４７　　−２６．８４７　１．２９４　２　１．６７４９６４　　　　∞　　　　　　２６．２２８　２．９５５
５　−６２．０４５　　−６２．０４５　５．８０７　３　１．７９２６７６　−４０．１５９　　−４０．１５９　０．２８８
７　　　　∞　　　　　　　　∞　　　　６．９３８　４　１．７９２６７８　−４５．２６２　　−１６．７８６　１１１．３５
９　　　　∞　　　　　　　８．６２７　２．８７６　５　１．５１１１８１０　　　∞　　　　　　　　∞　　　　８．６２７
　条件式の値：ｆ
ｓ５
／Ｄ
ｂｆ
＝１．９５６
　
（３）「【００２５】上記各実施例のｆθレンズを用い、図１に示す如き光走査装置（
光源装置１は、波長７８０ｎｍのレーザー光を放射する半導体レーザーとコリメートレンズを組み合わせて
【００２６】
【発明の効果】以上のように、この発明によれば新規なアナモフィックなｆθレンズおよび光走査装置を提供できる。このｆθレンズは、複雑な「非球面」を含んでいないので、製造が容易で安価に実施できる。また、各実施例に示したように広画角であるにも拘らず、
像面湾曲、ｆθ特性共に良好であり、光スポット径の変動が極めて少ない
　
（４）上記（１）ないし（３）からみて、引用例には、
　「波長７８０ｎｍのレーザー光を放射する半導体レーザーとコリメートレンズを組み合わせて実質的な平行光束を放射する光源装置と、この光源装置からの光束を副走査対応方向に収束させて主走査対応方向に長い線像に結像させる線像結像光学系と、上記線像の近傍に偏光反射面を有し、反射光束を等角速度的に偏向させる光偏向器と、上記光偏向器による偏向光束を被走査面上に光スポットとして集光させる結像光学系とを有し、上記光スポットにより被走査面を等速的に光走査する装置において、上記結像光学系として用いられるアナモフィックなｆθレンズであって、
　前記アナモフィックなｆθレンズは、副走査対応方向に関して偏向起点と被走査面位置とを幾何光学的な共役関係とする機能を持つとともに、主走査対応方向に関してはｆθ機能を持ち、
偏向反射面側から被走査面側へ向かって第１〜第５群を順次配してなり、
第１群は、正の屈折力を持つ球面レンズ、
第２群は、主走査対応方向に負の屈折力を持ち、凹の球面を偏向反射面側に有し、副走査対応方向にのみパワーを持つ凹のシリンダー面を被走査面側に持つレンズ、
第３群は、正の屈折力を持ち、偏光反射面側に凹面を向けたメニスカス球面レンズ、
第４群は、トーリック面を有し、平面を偏向反射面側に持ち、副走査対応方向の曲率が主走査対応方向の曲率より強い凸のトーリック面を被走査面側に持つアナモフィックレンズ、
第５群は、副走査対応方向にのみ正の屈折力を有するシリンダーレンズである５群５枚構成であり、
第５群の副走査対応方向における焦点距離：ｆｓ５、第５群の被走査面側レンズ面と被走査面との光軸上の距離：Ｄｂｆが、条件１＜ｆｓ５／Ｄｂｆ＜３を満足し、
　偏向反射面の側から数えて第ｉ番目（ｉ＝１〜１０）のレンズ面の偏向面内の曲率半径をＲｘｉ、上記第ｉ番目のレンズ面の偏向直交面内における曲率半径をＲｙｉ、光スポットの像高０における偏向反射面から第１群の偏向反射面側レンズ面に到る光軸上の距離をＤ０、偏向反射面の側から数えて第ｉ番目と第ｉ＋１番目のレンズ面の光軸上面間隔をＤ１〜Ｄ９、第５群９の被走査面側のレンズ面と被走査面との間の光軸上の距離をＤ１０ 、偏向反射面の側から数えて第ｊ番目（ｊ＝１〜５）のレンズの波長：７８０ｎｍの光に対する屈折率をＮｊ、ｆθレンズ全系の主走査対応方向における合成焦点距離をｆｍ、ｆθレンズ全系の副走査対応方向における合成焦点距離をｆｓ、偏向角を２θとするとき、
ｆｍ＝１００，ｆｓ＝−９．２２３，２θ＝５３．０度　
ｉ　　Ｒｘｉ　　　　　　Ｒｙｉ　　　　　　Ｄｉ　　ｊ　　　　Ｎｊ　
０　　　　　　　　　　　　　　　　　１４．２７８　　
１　　２４６．１７　　２４６．１７　　３．０３４　１　１．５１１１８
２　−３０２．５２１−３０２．５２１　３．６８９　　
３　−２６．８４７　　−２６．８４７　１．２９４　２　１．６７４９６
４　　　　∞　　　　　　２６．２２８　２．９５５　　
５　−６２．０４５　　−６２．０４５　５．８０７　３　１．７９２６７
６　−４０．１５９　　−４０．１５９　０．２８８　　
７　　　　∞　　　　　　　　∞　　　　６．９３８　４　１．７９２６７
８　−４５．２６２　　−１６．７８６　１１１．３５　　
９　　　　∞　　　　　　　８．６２７　２．８７６　５　１．５１１１８
１０　　　∞　　　　　　　　∞　　　　８．６２７　
　条件式の値：ｆｓ５／Ｄｂｆ＝１．９５６　
であって、像面湾曲、ｆθ特性共に良好であり、光スポット径の変動が極めて少ない、アナモフィックなｆθレンズ。」　
の発明（以下「引用発明」という。）が記載されていると認められる。
　
４　対比
　本願発明と引用発明とを対比する。
（１）引用発明の「アナモフィックなｆθレンズ」は、光源装置からの光束を副走査対応方向に収束させて主走査対応方向に長い線像に結像させる線像結像光学系と、上記線像の近傍に偏光反射面を有し、反射光束を等角速度的に偏向させる光偏向器と、上記光偏向器による偏向光束を被走査面上に光スポットとして集光させる結像光学系とを有し、上記光スポットにより被走査面を等速的に光走査する装置において、上記結像光学系として用いられるものであるから、引用発明の「アナモフィックなｆθレンズ」は、本願発明の「走査結像レンズ」に相当するとともに、引用発明は、本願発明の「主走査対応方向に長くなるように結像された線像の近傍に偏向反射面を持つ光偏向器により等角速度的に偏向された光束を、被走査面上に光スポットとして集光させ、被走査面の等速的な光走査を行うための結像光学系」との事項を備える。
　
（２）引用発明の「アナモフィックなｆθレンズ」は、副走査対応方向に関して偏向起点と被走査面位置とを幾何光学的な共役関係とする機能を持つとともに、主走査対応方向に関してはｆθ機能を持ち、偏向反射面側から被走査面側へ向かって第１〜第５群を順次配してなるものであるから、引用発明の「アナモフィックなｆθレンズ」は、本願発明の「走査結像レンズ」と、「主走査対応方向に関してｆθ機能を持つと共に、副走査対応方向に関して線像の結像位置と被走査面とを幾何光学的な共役関係とする機能を持ち、上記偏向の起点から被走査面側へ向かって順次、第１〜第５群を配してな」る点で一致する。
　
（３）引用発明のアナモフィックなｆθレンズを構成する第１群ないし第５群と、本願発明の走査結像レンズを構成する第１群ないし第５群について、
　ア　引用発明の「第１群」は、正の屈折力を持つ球面レンズであるから、引用発明の「第１群」は、本願発明の「第１群」と、「正の屈折力を持つ球面単レンズ」である点で一致し、
　イ　引用発明の「第２群」は、主走査対応方向に負の屈折力を持ち、凹の球面を偏向反射面側に有し、副走査対応方向にのみパワーを持つ凹のシリンダー面を被走査面側に持つレンズであるところ、アナモフィックなレンズであり主走査対応方向より副走査対応方向により強い負の屈折力を持つことは当業者において明らかであるから、引用発明の「第２群」は、本願発明の「第２群」と、「シリンダ面を有し、副走査対応方向により強い負の屈折力を持つアナモフィックなレンズ」である点で一致し、
　ウ　引用発明の「第３群」は、正の屈折力を持ち、偏光反射面側に凹面を向けたメニスカス球面レンズであるから、引用発明の「第３群」は、本願発明の「第３群」と、「偏向の起点側に凹面を向けた球面単レンズの正のメニスカスレンズ」である点で一致し、
　エ　引用発明の「第４群」は、トーリック面を有し、平面を偏向反射面側に持ち、副走査対応方向の曲率が主走査対応方向の曲率より強い凸のトーリック面を被走査面側に持つアナモフィックレンズであるから、引用発明の「第４群」は、本願発明の「第４群」と、「副走査対応方向により強い正の屈折力のト−リック面を有するアナモフィックなレンズ」である点で一致し、
　オ　引用発明の「第５群」は、副走査対応方向にのみ正の屈折力を有するシリンダーレンズであるから、引用発明の「第５群」は、本願発明の「第５群」と、「副走査対応方向にのみ正のパワ−を有するシリンダレンズ」である点で一致するとともに、
引用発明のアナモフィックなｆθレンズを構成する上記第１群ないし第５群は、５群５枚構成であるから、引用発明の「アナモフィックなｆθレンズ」は、本願発明の「走査結像レンズ」と、「５群５枚構成」である点で一致する。
　
（４）引用発明は、第５群の副走査対応方向における焦点距離：ｆｓ５、第５群の被走査面側レンズ面と被走査面との光軸上の距離：Ｄｂｆが、条件１＜ｆｓ５／Ｄｂｆ＜３を満足するから、引用発明は、本願発明の「第５群の副走査対応方向における焦点距離をｆｓ５、第５群と被走査面の光軸上の距離をＤｂｆとするとき」「条件」「１．０＜ｆｓ５／Ｄｂｆ＜３．０を満足する」との事項を備える。
　
（５）引用発明において、偏向反射面の側から数えて第３番目のレンズ面の偏向面内の曲率半径をＲｘ３、上記第３番目のレンズ面の偏向直交面内における曲率半径をＲｙ３はともに−２６．８４７（以下Ｒｘ３＝Ｒｙ３をＲ３と略記する。）であり、偏向反射面の側から第８番目のレンズ面の偏向面内の曲率半径をＲｘ８は−４５．２６２であり、偏向反射面から第１群の偏向反射面側レンズ面に到る光軸上の距離Ｄ０は１４．２７８であり、偏向反射面の側から数えて第１番目と第２番目のレンズ面の光軸上面間隔すなわち第１群の肉厚Ｄ１は３．０３４であり、偏向反射面の側から数えて第２番目と第３番目のレンズ面の光軸上面間隔すなわち第１群と第２群との空気間隔Ｄ２は３．６８９であり、第１群の７８０ｎｍの光に対する屈折率Ｎ１は１．５１１１８であり、偏向反射面から第４群までの距離（以下「ＤＡ１」という。）ＤＡ１（＝Ｄ０＋Ｄ１＋Ｄ２＋Ｄ３＋Ｄ４＋Ｄ５＋Ｄ６）は３８．２８３であって、第１群のレンズ面の偏向面内の曲率半径と屈折率に基づき第１群の焦点距離（以下「ｆ１」という。）を計算すると、ｆ１は、２６６．０１２５であるところ、
　Ｒ３／｛Ｄ０・ｆ１／（ｆ１−Ｄ０）＋Ｄ１／Ｎ１＋Ｄ２｝＝−１．２９１７　
　Ｒｘ８／ＤＡ１＝−１．１８２３　
である。よって、引用発明は、本願発明の「偏向の起点から第１群の入射側レンズ面までの光軸上の距離をＤ０、第１群の肉厚および屈折率をＤ１およびＮ１、第１群と第２群との空気間隔をＤ２、第１群の焦点距離をｆ１、第２群の偏向器側の曲率半径をＲ３、第４群の被走査面側の主走査方向の曲率半径をＲ８Ｘ、上記偏向の起点から第４群の像側面までの距離をＤＡ１とするとき、これらが条件　
　−１．５＜Ｒ３／｛Ｄ０・ｆ１／（ｆ１−Ｄ０）＋Ｄ１／Ｎ１＋Ｄ２｝＜−０．９　　
　−１．３＜Ｒ８Ｘ／ＤＡ１＜−０．９」「を満足する」との事項を備えているといえる。
　
（６）上記（１）ないし（５）から、本願発明と引用発明とは、
「　主走査対応方向に長くなるように結像された線像の近傍に偏向反射面を持つ光偏向器により等角速度的に偏向された光束を、被走査面上に光スポットとして集光させ、被走査面の等速的な光走査を行うための結像光学系であって、
　主走査対応方向に関してｆθ機能を持つと共に、副走査対応方向に関して線像の結像位置と被走査面とを幾何光学的な共役関係とする機能を持ち、上記偏向の起点から被走査面側へ向かって順次、第１〜第５群を配してなり、
　第１群は、正の屈折力を持つ球面単レンズ、
　第２群は、シリンダ面を有し、副走査対応方向により強い負の屈折力を持つアナモフィックなレンズ、
　第３群は、上記偏向の起点側に凹面を向けた球面単レンズの正のメニスカスレンズ、
　第４群は、副走査対応方向により強い正の屈折力のト−リック面を有するアナモフィックなレンズ、
　第５群は、副走査対応方向にのみ正のパワ−を有するシリンダレンズであることを特徴とする５群５枚構成であり、
　第２群と第４群のアッべ数をνｄ２，νｄ４、上記偏向の起点から第１群の入射側レンズ面までの光軸上の距離をＤ０、第１群の肉厚および屈折率をＤ１およびＮ１、第１群と第２群との空気間隔をＤ２、第１群の焦点距離をｆ１、第２群の偏向器側の曲率半径をＲ３、第４群の被走査面側の主走査方向の曲率半径をＲ８Ｘ、上記偏向の起点から第４群の像側面までの距離をＤＡ１、第５群の副走査対応方向における焦点距離をｆｓ５、第５群と被走査面の光軸上の距離をＤｂｆとするとき、これらが条件　
　−１．５＜Ｒ３／｛Ｄ０・ｆ１／（ｆ１−Ｄ０）＋Ｄ１／Ｎ１＋Ｄ２｝＜−０．９　　
　−１．３＜Ｒ８Ｘ／ＤＡ１＜−０．９　　　
　　１．０＜ｆｓ５／Ｄｂｆ＜３．０　　
を満足する、走査結像レンズ。」
である点で一致し、本願発明は、条件「１．０＜νｄ４／νｄ２」を満足するのに対し、引用発明は、上記条件を満足するかどうか不明である点（以下「相違点」という。）で相違するものと認められる。
　
５　判断
　上記相違点について検討する。
（１）引用発明は、光スポット径の変動が極めて少ないものであるから、引用発明において各群のレンズを設計するときに、倍率色収差をできるだけ小さくし光スポット径の変動が少なくなるよう前記各群のレンズについてアッベ数を定めることは、当業者が当然に行うことである。
　
（２）そして、走査結像レンズを用いた光走査結像装置において光源である半導体レーザの発光波長の変動に対応すべく倍率色収差を小さくするとの課題は、本願出願時において周知（例．特開平９−２１９４４号公報（段落【００１０】、【００３２】、【００３３】を参照。）、特開平４−１７４４１３号公報（２頁右下欄１５行〜３頁左上欄１１行）、特開平４−９０５０５号公報（２頁右下欄１８行〜３頁左上欄１５行））であり、偏向反射面側から被走査面側へ向かって「負のパワーのレンズａ（アッベ数νａ）」、「レンズｂ」、「正のパワーのレンズｃ（アッベ数νｃ）」の順に並べられた走査用のレンズ系において、νａ＜νｃとしたものは、本願出願時において周知の技術（例．特開平１０−２１３７４０号公報（請求項３、段落【００３１】、図２を参照。「凹レンズ８」が上記レンズａ、「凸レンズ１０」が上記レンズｃにそれぞれ相当する。）、前記特開平９−２１９４４号（段落【００２２】、図１を参照。「第１レンズ５ａ」が上記レンズａ、「第３レンズ５ｃ」が上記レンズｃにそれぞれ相当する。）、前記特開平４−１７４４１３号（３頁右下欄３行〜１１行、６頁右上欄６行〜１６行、第１図を参照。「第１レンズ５１」が上記レンズａ、「第３レンズ５３」が上記レンズｃにそれぞれ相当する。））であることを踏まえれば、引用発明において、第２群のアッベ数を第４群のアッベ数より小さくし、上記相違点に係る本願発明の構成となすことは、周知技術に基づいて当業者が容易に想到し得たものというべきである。
　
（３）そして、本願明細書の「条件（１）（１．０＜νｄ４／νｄ２）は、半導体レ−ザを光源とする場合のように、光源の発光波長が温度変化等で変動しても、光スポット位置が変動しないように色収差を補正するための条件である。」（段落【０００８】）との記載に照らせば、本願発明の奏する効果が、引用発明及び周知技術から当業者が予測可能な域を超える程の格別顕著なものとは認められない。
　
（４）したがって、本願発明は、引用発明及び周知技術に基づいて当業者が容易に発明をすることができたものである。
　
６　むすび　
　以上のとおり、本願発明は、引用例に記載された発明及び周知技術に基づいて当業者が容易に発明をすることができたものであるから、特許法第２９条第２項の規定により特許を受けることができない。
　よって、結論のとおり審決する。